(57)【要約】【課題】フィルタで捕集した糸くずなどの異物を回転ドラムや循環風路へ逸散させることなく風量の低下を少なくして、乾燥効率を維持する。【解決手段】循環風路８に接続されたフィルタケース１３と、フィルタケース１３内に設けた第１のフィルタ１４ａおよび第２のフィルタ１４ｂと、乾燥用空気を通過させて第１のフィルタ１４ａにリントを捕集する第１の通風路１５と、第１のフィルタ１４ａのリントの捕集面に沿うように乾燥用空気を送風し第１のフィルタ１４ａに捕集したリントを剥離する第２の通風路１６と、第１の通風路１５または第２の通風路１６に切り替える風路切替手段１７とを有し、第２の通風路１６に送風した乾燥用空気によって第１のフィルタ１４ａからリントを剥離して第２のフィルタ１４ｂ側へ移動させるようにしたものである。【選択図】図１
2011050564.tif 000002
【特許請求の範囲】
【請求項１】
筐体内に弾性支持した外槽と、前記外槽内に配設され洗濯物を収容する回転自在な回転ドラムと、前記回転ドラムと連通し洗濯物を乾燥させる空気が流れる循環風路と、前記循環風路に乾燥用空気を送風する送風手段と、前記循環風路を通過するリントを捕集するフィルタ部とを備え、前記フィルタ部は、前記循環風路に接続されたフィルタケースと、前記フィルタケース内に設けたフィルタと、乾燥用空気を通過させる複数の通風路と、乾燥用空気が通過する前記通風路を切り替える風路切替手段とを有し、前記通風路は、前記フィルタにリントを捕集する第１の通風路と、前記フィルタに捕集したリントを剥離する第２の通風路を有し、前記フィルタは、前記第１の通風路を通過するリントを捕集する第１のフィルタと、前記第１の通風路の通風領域を外れた外側に設けた第２のフィルタを有し、前記第２の通風路は、前記第１のフィルタのリントの捕集面に沿うように乾燥用空気を送風し、前記第１のフィルタから剥離したリントを前記第２のフィルタ側へ移動させるようにした衣類乾燥機。
【請求項２】
風路切替手段は、回動自在な開閉板と、前記開閉板を軸支する回動軸と、前記回動軸を駆動する駆動部を有し、第１の通風路および第２の通風路の入口に各々設けた導入口から乾燥用空気を選択的に導入するようにした請求項１記載の衣類乾燥機。
【請求項３】
第２の通風路は、乾燥用空気の出口を第１のフィルタの縁部に対向して細長いスリット状に形成した請求項１または２記載の衣類乾燥機。
【請求項４】
フィルタは、第１のフィルタに隣接してその側方に第２のフィルタを設け、前記第１のフィルタと前記第２のフィルタとで形成される角度を鈍角に設定した請求項１〜３のいずれか１項に記載の衣類乾燥機。
【請求項５】
フィルタ部は、第１の通風路に導入された乾燥用空気が第１のフィルタに向って流れるようにガイドするガイド部を有し、前記ガイド部と第２のフィルタとの間に第１のフィルタから剥離したリントを溜めるリント溜部を形成した請求項１〜４のいずれか１項に記載の衣類乾燥機。
【請求項６】
フィルタ部は、リント溜部にリントを捕捉するピンを立設した請求項５記載の衣類乾燥機。
【請求項７】
フィルタ部は、第１の通風路の底部にリントを捕捉するピンを立設した請求項１〜６のいずれか１項に記載の衣類乾燥機。
【発明の詳細な説明】
【技術分野】
【０００１】
本発明は、回転ドラム内で衣類の乾燥を行う衣類乾燥機に関するものである。
【背景技術】
【０００２】
従来、この種のドラム式衣類乾燥機は、図１２に示すような構成が一般的である。筐体１０１内に受筒１０２が設けられ、この受筒１０２内に洗濯物を収容する回転ドラム１０３が設けられている。回転ドラム１０３は受筒１０２の底部に取り付けたモータ１０４によって回転駆動される。回転ドラム１０３内に乾燥用空気を供給する送風ファン１０５を設け、除湿手段１０６および加熱手段１０７を備えた循環風路１０８を通して乾燥用空気を回転ドラム１０３へ循環させて洗濯物の乾燥を行う。
【０００３】
除湿手段１０６および加熱手段１０７は、圧縮機と冷媒回路で接続した蒸発器、凝縮器であり、送風ファン１０５により回転ドラム１０３内の乾燥用空気を循環風路１０８に導入し、除湿手段１０６および加熱手段１０７を通して熱交換することにより、除湿後に加熱した乾いた高温空気として回転ドラム１０３へ送風し、洗濯物に当てて乾燥させるようにしている。
【０００４】
循環風路１０８を循環する乾燥用空気には、回転ドラム１０３内の洗濯物から分離した糸くずなどの異物が混入し、これが蒸発器や凝縮器に付着して目詰まりが生じ、また、送風ファン１０５の各部に堆積して、機能が低下するとともに故障の原因になるため、循環風路１０８の途中に糸くずなどの異物を捕集するフィルタ１０９が設けられる。
【０００５】
乾燥運転を行うことによってフィルタ１０９に洗濯物から分離した糸くずなどが捕集されて堆積し、循環風路１０８を循環する乾燥用空気の通過抵抗が増大するため、フィルタ１０９に堆積した糸くずなどを取り除く方法が考えられている。図１２に記載のものは、送風ファン１０５を正逆回転可能に設け、送風ファン１０５を逆回転させてフィルタ１０９に付着した異物を吹き飛ばして排除するようにしたものである（例えば、特許文献１参照）。
【先行技術文献】
【特許文献】
【０００６】
【特許文献１】特開２００８−８６４１９号公報
【発明の概要】
【発明が解決しようとする課題】
【０００７】
しかしながら、前記従来の構成では、使用後に送風ファン１０５を逆回転させて循環風路１０８内の空気を上流側へ向けて逆流させ、フィルタ１０９から糸くずなどの異物を吹き飛ばすものであるため、フィルタ１０９から吹き飛ばされた糸くずなどの異物は回転ドラム１０３内へ入る。したがって、回転ドラム１０３内で洗濯物に付着するとともに、送風ファン１０５の回転方向の切替えによって循環風路１０８内を移動するという問題があった。
【０００８】
本発明は、前記従来の課題を解決するもので、フィルタで捕集した糸くずなどの異物を回転ドラムや循環風路へ逸散させることなく風量の低下を少なくして、乾燥効率を維持することを目的とする。
【課題を解決するための手段】
【０００９】
前記従来の課題を解決するために、本発明の衣類乾燥機は、循環風路を通過するリントを捕集するフィルタ部を設け、前記フィルタ部は、前記循環風路に接続されたフィルタケースと、前記フィルタケース内に設けたフィルタと、乾燥用空気を通過させる複数の通風路と、乾燥用空気が通過する前記通風路を切り替える風路切替手段とを有し、前記通風路は、前記フィルタにリントを捕集する第１の通風路と、前記フィルタに捕集したリントを剥離する第２の通風路を有し、前記フィルタは、前記第１の通風路を通過するリントを捕集する第１のフィルタと、前記第１の通風路の通風領域を外れた外側に設けた第２のフィルタを有し、前記第２の通風路は、前記第１のフィルタのリントの捕集面に沿うように乾燥用空気を送風し、前記第１のフィルタから剥離したリントを前記第２のフィルタ側へ移動させるようにしたものである。
【００１０】
これによって、捕集した糸くずなどの異物をフィルタから剥離しても、回転ドラムや循環風路へ逸散することなく風量の低下を抑制することができ、乾燥効率を維持することができる。
【発明の効果】
【００１１】
本発明の衣類乾燥機は、フィルタで捕集した糸くずなどの異物が回転ドラムや循環風路へ逸散することなく風量の低下を抑制することができ、乾燥効率を維持することができる。
【図面の簡単な説明】
【００１２】
【図１】本発明の実施の形態１における洗濯乾燥機の断面図
【図２】同洗濯乾燥機のフィルタ部の斜視図
【図３】同洗濯乾燥機のフィルタ部の一部切欠斜視図
【図４】同洗濯乾燥機のフィルタ部の動作説明図
【図５】同洗濯乾燥機のフィルタ部の動作説明図
【図６】本発明の実施の形態２における洗濯乾燥機のフィルタ部の平面断面図
【図７】同洗濯乾燥機のフィルタ部の動作説明図
【図８】同洗濯乾燥機のフィルタ部の要部断面図
【図９】同洗濯乾燥機のフィルタ部の他の例の要部断面図
【図１０】本発明の実施の形態３における洗濯乾燥機の動作を示すタイムチャート
【図１１】本発明の実施の形態４における洗濯乾燥機の動作を示すタイムチャート
【図１２】従来の洗濯乾燥機の構成図
【発明を実施するための形態】
【００１３】
第１の発明は、筐体内に弾性支持した外槽と、前記外槽内に配設され洗濯物を収容する回転自在な回転ドラムと、前記回転ドラムと連通し洗濯物を乾燥させる空気が流れる循環風路と、前記循環風路に乾燥用空気を送風する送風手段と、前記循環風路を通過するリントを捕集するフィルタ部とを備え、前記フィルタ部は、前記循環風路に接続されたフィルタケースと、前記フィルタケース内に設けたフィルタと、乾燥用空気を通過させる複数の通風路と、乾燥用空気が通過する前記通風路を切り替える風路切替手段とを有し、前記通風路は、前記フィルタにリントを捕集する第１の通風路と、前記フィルタに捕集したリントを剥離する第２の通風路を有し、前記フィルタは、前記第１の通風路を通過するリントを捕集する第１のフィルタと、前記第１の通風路の通風領域を外れた外側に設けた第２のフィルタを有し、前記第２の通風路は、前記第１のフィルタのリントの捕集面に沿うように乾燥用空気を送風し、前記第１のフィルタから剥離したリントを前記第２のフィルタ側へ移動させるようにしたことにより、乾燥運転時は第１の通風路に乾燥用空気を送風して第１のフィルタにリントを捕集することができる。そして、第２の通風路に切替えて乾燥用空気を第１のフィルタのリントの捕集面に沿うように送風することにより、第１のフィルタに捕集されたリントを剥離して第２のフィルタ側へ移動させるので、フィルタ部を通
過する乾燥用空気の風量低下を抑制することができる。
【００１４】
第２の発明は、特に、第１の発明の風路切替手段は、回動自在な開閉板と、前記開閉板を軸支する回動軸と、前記回動軸を駆動する駆動部を有し、第１の通風路および第２の通風路の入口に各々設けた導入口から乾燥用空気を選択的に導入するようにしたことにより、リントの捕集と剥離を簡単な構成で容易に切替えることができる。
【００１５】
第３の発明は、特に、第１または第２の発明の第２の通風路は、乾燥用空気の出口を第１のフィルタの縁部に対向して細長いスリット状に形成したことにより、第１のフィルタのリントの捕集面に沿うように乾燥用空気を送風することができ、第１のフィルタの広い範囲に捕集されたリントを効率よく容易に剥離することができるとともに、出口がリントで詰まるのを防止することができる。
【００１６】
第４の発明は、特に、第１〜第３のいずれか１つの発明のフィルタは、第１のフィルタに隣接してその側方に第２のフィルタを設け、前記第１のフィルタと前記第２のフィルタとで形成される角度を鈍角に設定したことにより、第２のフィルタ側へ移動したリントの収容空間を広くすることができ、第１の通風路を通過する乾燥用空気の通風量を確保することができる。
【００１７】
第５の発明は、特に、第１〜第４のいずれか１つの発明のフィルタ部は、第１の通風路に導入された乾燥用空気が第１のフィルタに向って流れるようにガイドするガイド部を有し、前記ガイド部と第２のフィルタとの間に第１のフィルタから剥離したリントを溜めるリント溜部を形成したことにより、第１の通風路に導入された乾燥用空気を第１のフィルタに向ってスムーズに流すことができるとともに、リント溜部に溜まったリントを第１のフィルタへ引き込むのを防止することができる。
【００１８】
第６の発明は、特に、第５の発明のフィルタ部は、リント溜部にリントを捕捉するピンを立設したことにより、第１のフィルタから剥離したリントをリント溜部に保持することができる。
【００１９】
第７の発明は、特に、第１〜第６のいずれか１つの発明のフィルタ部は、第１の通風路の底部にリントを捕捉するピンを立設したことにより、循環する乾燥用空気から捕集したリントをフィルタ部内に多量に保持することができ、風量低下の抑制効果を高めるとともに、捕集したリントを廃棄する間隔を長くすることができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における衣類乾燥機としての機能を備えた洗濯乾燥機の断面図、図２は、同フィルタ部の斜視図、図３は、同フィルタ部の内部斜視図、図４および図５は、同フィルタ部の断面図である。
【００２２】
図１〜図５において、筐体１の内部には、図示しないサスペンション構造によって外槽２が支持され、この外槽２内に有底円筒形に形成された回転ドラム３がその軸心方向を正面側から背面側に向けて下向きに傾斜させて配設されている。外槽２の正面側には回転ドラム３の開口端に通じる衣類出入口４が形成され、筐体１の正面側に形成された上向き傾斜面に設けられた開口部を開閉可能に閉じる扉５が設けてあり、この扉５を開くことにより、衣類出入口４を通じて回転ドラム３内に対して洗濯物を出し入れすることができる。
【００２３】
回転ドラム３には、その周面に外槽２内に通じる多数の透孔（図示せず）が形成され、内周面の複数位置に撹拌突起６が設けられている。この回転ドラム３は、外槽２の背面側に取り付けられたモータ７によって正転および逆転方向に回転駆動される。また、外槽２には、図示しない注水管路および排水管路が配管接続され、注水弁および排水弁の制御によって外槽２内への注水および排水がなされる。
【００２４】
外槽２の背面の上部と上面の前部には乾燥用空気を循環させる循環風路８が設けられており、この循環風路８の途中には、外槽２内に乾燥用空気を送風する送風手段９と、回転ドラム３から循環風路８に入る湿った空気を除湿する除湿手段１０と、この除湿手段１０で除湿した乾いた空気を加熱する加熱手段１１が設けられており、除湿手段１０および加熱手段１１は、圧縮機と冷媒回路で接続した蒸発器、凝縮器で構成する一般的なヒートポンプサイクルが用いられる。
【００２５】
回転ドラム３から出た乾燥用空気が除湿手段１０に至るまでの循環風路８にフィルタ部１２が設けられている。このフィルタ部１２は、循環風路８に接続されたフィルタケース１３と、このフィルタケース１３内に配設したフィルタ１４と、乾燥用空気を通過させる複数の通風路１５および通風路１６と、乾燥用空気が通過する通風路１５または通風路１６に切り替える風路切替手段１７を有し、通風路は、フィルタ１４にリントを捕集する第１の通風路１５と、フィルタ１４に捕集したリントをフィルタ１４から剥離する第２の通風路１６を有し、フィルタ部１２は循環風路８に対して脱着自在に構成してあり、筐体１の上面より取り外すことができる。
【００２６】
フィルタ１４は、第１の通風路１５を通過する乾燥用空気からリントを捕集する第１のフィルタ１４ａと、第１の通風路１５の通風領域を外れた外側に第２のフィルタ１４ｂを設けている。第１のフィルタ１４ａは、第１の通風路１５を通過する乾燥用空気と略直角に交差するようにリントの捕集面が配設されている。
【００２７】
第２の通風路１６は、第１の通風路１５の上方に設けてあり、フィルタケース１３に設けた第１の通風路１５の導入口１５ａの上方近傍に第２の通風路１６の導入口１６ａを開口している。
【００２８】
風路切替手段１７は、第１の通風路１５の導入口１５ａと第２の通風路１６の導入口１６ａの間に配設してあり、回動自在な開閉板１８と、この開閉板１８を回動自在に軸支する回動軸１９と、この回動軸１９を駆動する駆動部２０を有し、第１の通風路１５の導入口１５ａと第２の通風路１６の導入口１６ａから乾燥用空気を選択的に導入するようにしている。
【００２９】
第２の通風路１６は、第１の通風路１５を流れる乾燥用空気とほぼ平行にその上方を第１のフィルタ１４ａの上端に向かって流れ、乾燥用空気の出口１６ｂを第１のフィルタ１４ａの縁部に対向して細長いスリット状に形成している。スリット状の出口１６ｂから吐出される乾燥用空気は、第１のフィルタ１４ａのリントの捕集面に沿うように送風し、第１のフィルタ１４ａに付着したリントを剥離させるとともに、剥離したリントを第２のフィルタ１４ｂ側へ移動させるようにしている。
【００３０】
第２の通風路１６を通ってスリット状の出口１６ｂから第１のフィルタ１４ａのリントの捕集面に沿うように送風された乾燥用空気は、第１のフィルタ１４ａから剥離したリントを第２のフィルタ１４ｂ側へ移動させて、第２のフィルタ１４ｂを通過して循環風路８へと流れる。
【００３１】
以上のように構成された本発明の洗濯乾燥機について、以下、その動作、作用を説明す
る。扉５を開いて回転ドラム３内に洗濯物および洗剤を投入してドラム式洗濯乾燥機の運転を開始させると、外槽２内には注水管路から所定量の注水がなされ、モータ７により回転ドラム３が回転駆動されて洗濯工程が開始される。回転ドラム３の回転により、回転ドラム３内に収容された洗濯物は回転ドラム３の内周壁に設けられた撹拌突起６によって回転方向に持ち上げられ、持ち上げられた適当な高さ位置から落下する撹拌動作が繰り返されるので、洗濯物には叩き洗いの作用が及んで洗濯がなされる。
【００３２】
所定の洗濯時間の後、汚れた洗濯液は排水管路から排出され、回転ドラム３を高速回転させる脱水動作により洗濯物に含まれた洗濯液を脱水し、その後、外槽２内に注水管路から注水してすすぎ工程が実施される。このすすぎ工程においても洗濯工程と同様に、回転ドラム３内に収容された洗濯物は回転ドラム３の回転により撹拌突起６により持ち上げられて落下する撹拌動作が繰り返されてすすぎ洗いが実施される。
【００３３】
このドラム式洗濯乾燥機には、回転ドラム３内に収容した洗濯物を乾燥する機能が設けられており、外槽２内の空気を除湿および加熱し、乾燥した空気を再び外槽２内に送風する循環風路８が形成されている。この循環風路８に除湿手段１０、加熱手段１１および送風手段９が設けられている。
【００３４】
送風手段９により、循環風路８に空気の流れが発生して洗濯物を収容した回転ドラム３内の空気は、透孔を通じて外槽２から送風手段９側へ排気され、送風手段９の上流に位置する除湿手段１０に水分を結露させて除湿した後、加熱手段１１との熱交換により加熱して乾燥した高温の空気となる。
【００３５】
この乾燥した高温の空気は送風手段９から外槽２へ送風される。外槽２内に送風された高温の乾燥空気は透孔を通じて回転ドラム３内に入り、衣類などの洗濯物に曝されながら外槽２へと抜けて循環風路８に導入される。図１の矢印で示す空気の流れ動作による循環の繰り返しにより乾燥工程が実施される。
【００３６】
循環風路８を利用した乾燥工程では、循環風路８を循環される循環空気中に主として衣類などの洗濯物から発生する糸くずなどの異物が混じって循環する。循環空気中から糸くずなどの異物を除去するために、循環風路８の途中、すなわち、除湿手段１０、加熱手段１１、送風手段９の上流側にフィルタ部１２を設けて捕集される。
【００３７】
乾燥運転の開始時は、図４に示すように、風路切替手段１７によって乾燥用空気が循環風路８から第１の通風路１５を通るように切替えられ、開閉板１８は第１の通風路１５の導入口１５ａを開放し、第２の通風路１６の導入口１６ａを閉塞する。したがって、乾燥用空気とともに第１の通風路１５を通過するリントを、図６に示すように、第１のフィルタ１４ａに捕集することができる。
【００３８】
乾燥運転の進行とともに第１のフィルタ１４ａにリントが捕集されると、図５に示すように、風路切替手段１７によって乾燥用空気が循環風路８から第２の通風路１６を通るように切替えられ、開閉板１８は第２の通風路１６の導入口１６ａを開放し、第１の通風路１５の導入口１５ａを閉塞する。第２の通風路１６は、第１の通風路１５を流れる乾燥用空気とほぼ平行にその上方を第１のフィルタ１４ａの上端に向かって流れ、第１のフィルタ１４ａの縁部に対向して形成した細長いスリット状の出口１６ｂから乾燥用空気が吐出される。
【００３９】
出口１６ｂから吐出される乾燥用空気は、第１のフィルタ１４ａのリントの捕集面に沿うように送風し、層状に捕集されているリントを第１のフィルタ１４ａの捕集面から剥すように剥離させて、図７に示すように、第２のフィルタ１４ｂ側へ移動させ、第２のフィ
ルタ１４ｂを通過して循環風路８へと流れる。
【００４０】
したがって、第１のフィルタ１４ａに捕集されたリントを剥離して第２のフィルタ１４ｂ側へ移動させるので、乾燥運転中は、捕集されたリントによってフィルタ部１２を通過する乾燥用空気の風量が低下するのを防止することができる。
【００４１】
風路切替手段１７は、乾燥運転中に適宜動作させることができ、予め設定された所定時間を計時して切替えることができる。第１の通風路１５を流れる時間を長く（例えば、１０分）、第２の通風路１６を流れる時間をそれより短く（例えば、１分）設定することで、リントを剥離しながら衣類を効率よく乾燥させることができる。
【００４２】
また、第１のフィルタ１４ａに捕集されたリントを剥離させる第２の通風路１６の導入口１６ａの開口面積を、第１のフィルタ１４ａにリントを捕集する第１の通風路１５の導入口１５ａの開口面積より小さく設定してあり、細長いスリット状の出口１６ｂから吐出される乾燥用空気の流速が速くなるようにしてあり、第１のフィルタ１４ａに捕集されたリントの捕集面に乾燥用空気が強く作用させることができる。
【００４３】
なお、除湿手段１０および加熱手段１１は、蒸発器、凝縮器の組み合わせとして冷媒を循環させる冷媒回路で接続した圧縮機と共に空気調和機を構成するほか、除湿手段１０は図示しない給水弁からの水の噴霧等により冷却された熱交換板として、水分を含む循環空気と接触して水分を結露させて除湿し、加熱手段１１はヒータとしてもよい。送風手段９は、シロッコタイプ、または、ターボタイプのファンとしている。
【００４４】
（実施の形態２）
図６〜図９は、本発明の第２の実施の形態におけるフィルタ部の断面図である。本実施の形態の特徴は、第１のフィルタ１４ａに隣接してその側方に第２のフィルタ１４ｂを折れ曲がるように設け、前記第１のフィルタ１４ａと前記第２のフィルタ１４ｂとで形成される角度αを鈍角に設定したことである。上記の構成によれば、第２のフィルタ１４ｂ側へ移動したリントの収容空間Ｓを広くすることができ、第１の通風路１５を通過する乾燥用空気の通風量を確保することができる。
【００４５】
また、本実施の形態の他の特徴は、第１の通風路１５に導入された乾燥用空気が第１のフィルタ１４ａに向って流れるようにガイドするガイド部２１を設け、このガイド部２１と第２のフィルタ１４ｂとの間に第１のフィルタ１４ａから剥離したリントを溜めるリント溜部２２を形成したことであり、リントの収容空間Ｓを構成する。
【００４６】
ガイド部２１は、第１の通風路１５の導入口１５ａの縁部から、第１のフィルタ１４ａと第２のフィルタ１４ｂの連結部に向かって延設してあり、第２の通風路１６の出口１６ｂから送風された乾燥用空気が第２のフィルタ１４ｂを通って循環風路８へ流れるように形成されている。
【００４７】
上記の構成によれば、第１の通風路１５に導入された乾燥用空気を第１のフィルタ１４ａに向ってスムーズに流すことができるとともに、リント溜部２２に溜まったリントが第１の通風路１５に導入された乾燥用空気によって、第１のフィルタ１４ａ側へ引き込まれるのを防止することができる。
【００４８】
さらに、他の特徴は、リント溜部２２にリントを捕捉するピン２３を複数立設したことである。上記の構成によれば、第１のフィルタ１４ａから剥離したリントをリント溜部２２に保持することができ、第１の通風路１５に導入された乾燥用空気によって第１のフィルタ１４ａ側へ引き込まれるのを防止することができる。
【００４９】
なお、他の構成は実施の形態１と同じであり、実施の形態１と同一の構成は同一符号を付して詳細な説明は実施の形態１のものを援用する。
【００５０】
図９は、本実施の形態の他の例を示したもので、第１の通風路１５の底部にリントを捕捉するピン２３を立設したことである。ピン２３は、第１の通風路１５の導入口１５ａの下縁より下方に多数設けてあり、ピン２３にリントが捕集された際に第１の通風路１５を通過する乾燥用空気の流れが阻害されないようにしている。
【００５１】
上記の構成によれば、第１のフィルタ１４ａから剥離したリントを捕捉してフィルタ部１２内に多量に保持することができ、風量低下の抑制効果を高めるとともに、捕集したリントを廃棄する間隔を長くすることができる。
【００５２】
（実施の形態３）
図１０は、本発明の第３の実施の形態における洗濯乾燥機の動作を示すタイムチャートである。本実施の形態の特徴は、循環風路８を流れる乾燥用空気の風量を検知する風量検知手段２６を設けたものである。他の構成は実施の形態１と同じであり、実施の形態１と同一の構成は同一符号を付して詳細な説明は実施の形態１のものを援用する。
【００５３】
風量検知手段２６は、乾燥運転時に送風手段９のモータの電流値または電力値によって風量低下を検知するようにしてあり、この風量検知手段２６により乾燥用空気が設定通風量Ｗ１から所定の風量低下Ｗ２を検知すると、筐体１内に設けた洗濯乾燥機の動作を制御する制御手段２５は、風路切替手段１７により図４の状態から図５の状態に切替えて第２の通風路１６に送風する。第２の通風路１６に送風している間は、通風量はさらに低下する。
【００５４】
制御手段２５は、第２の通風路１６に乾燥用空気を送風後、所定時間Ｔ１が経過すると風路切替手段１７により図５の状態から図４の状態に切替えて第１の通風路１５に乾燥用空気を送風し、乾燥工程中は、所定の風量低下Ｗ２を検知する度にこの動作を繰り返す。所定時間Ｔ１は、第１のフィルタ１４ａからリントを剥離して第２のフィルタ１４ｂ側へ移動させ、第１の通風路１５を流れる乾燥用空気が所定の通風量に回復させることができる時間である。
【００５５】
上記構成により、乾燥運転中は、風量検知手段２６によって第１の通風路１５を流れる乾燥用空気の風量が低下するのを防止することができ、所定の通風量を安定的に確保することができる。
【００５６】
（実施の形態４）
図１１は、本発明の第４の実施の形態における洗濯乾燥機の動作を示すタイムチャートである。本実施の形態の特徴は、乾燥運転中に風量検知手段２６によって乾燥用空気が所定の風量低下Ｗ２を検知すると、乾燥工程の終了後、風路切替手段１７により第２の通風路１６に送風し、第１のフィルタ１４ａに付着したリントを剥離するようにしたものである。また、乾燥用空気の風量低下を報知手段２７によって報知するようにしたものである。他の構成は実施の形態１と同じであり、実施の形態１と同一の構成は同一符号を付して詳細な説明は実施の形態１のものを援用する。
【００５７】
上記構成により、乾燥工程の終了後、第１のフィルタ１４ａに付着したリントを剥離することができ、次回の乾燥運転を開始時に所定の通風量を確保することができる。また、乾燥工程の終了後、風路切替手段１７により第２の通風路１６に送風した後、第１の通風路１５に送風したときの通風量Ｗ３が、リントの捕集量が多く設定通風量Ｗ１または所定
の風量低下Ｗ２まで回復しない場合は、報知手段２７によってフィルタ部１２の掃除を促す報知を行うことができる。
【産業上の利用可能性】
【００５８】
以上のように、本発明にかかる衣類乾燥機は、フィルタで捕集した糸くずなどの異物が回転ドラムや循環風路へ逸散することなく風量の低下を抑制することができ、乾燥効率を維持することができるので、衣類乾燥機および洗濯機能を備えた洗濯乾燥機として有用である。
【符号の説明】
【００５９】
１  筐体
２  外槽
３  回転ドラム
８  循環風路
９  送風手段
１２  フィルタ部
１３  フィルタケース
１４ａ  第１のフィルタ
１４ｂ  第２のフィルタ
１５  第１の通風路
１５ａ  導入口
１６  第２の通風路
１６ａ  導入口
１７  風路切替手段
１８  開閉板
１９  回動軸
２０  駆動部
２５  制御手段
２６  風量検知手段
【図１】
2011050564.tif 000003
【図２】
2011050564.tif 000004
【図３】
2011050564.tif 000005
【図４】
2011050564.tif 000006
【図５】
2011050564.tif 000007
【図６】
2011050564.tif 000008
【図７】
2011050564.tif 000009
【図８】
2011050564.tif 000010
【図９】
2011050564.tif 000011
【図１０】
2011050564.tif 000012
【図１１】
2011050564.tif 000013
【図１２】
2011050564.tif 000014